(57)【特許請求の範囲】
【請求項１】
天井面を形成する多数の天井材を天井材吊下構造にて上階床部に支持させ、且つ、天井設置機器を機器吊下構造にて上階床部に支持させて天井を構成する天井システムであって、
前記機器吊下構造が、天井設置機器の荷重を前記天井材吊下構造に負担させない状態で天井設置機器を上階床部に支持させるように構成されているとともに、
前記機器吊下構造として、複数種類の天井設置機器を取り付け可能な設備フリーパネルを介して当該設備フリーパネルに取り付けた天井設置機器を上階床部に支持させる第１機器吊下構造と、
前記設備フリーパネルを介さずに天井設置機器を上階床部に支持させる第２機器吊下構造と、が備えられている天井システム。
【請求項２】
前記天井が、前記天井材が配置されないライン状の設備ゾーンを備えたライン天井として構成され、当該設備ゾーンに前記第１機器吊下構造及び前記第２機器吊下構造にて天井設置機器が配設されるように構成され、
前記設備フリーパネルが、前記ライン状の設備ゾーンの幅に略対応した幅で構成され、
前記第１機器吊下構造が、前記ライン状の設備ゾーンに前記設備フリーパネルを配設自在で、且つ、当該設備ゾーンの長さ方向で設備フリーパネルの配設位置を変更自在に構成されている請求項１記載の天井システム。
【請求項３】
前記第１機器吊下構造が、前記ライン状の設備ゾーンの長さ方向に沿ってスライド移動可能な状態で前記設備フリーパネルを設備ゾーンに配設するように構成されている請求項２記載の天井システム。
【請求項４】
前記第１機器吊下構造には、上階床部に支持され、且つ、前記設備フリーパネルに設けられた係止部と係止自在な第１被係止部が備えられているとともに、
前記設備フリーパネルの係止部と前記第１被係止部とが、前記上階床部に支持された第１被係止部に対する設備フリーパネルの下方側からの接近移動に伴って係止可能に構成されている請求項１〜３のいずれか１項に記載の天井システム。
【請求項５】
前記第１機器吊下構造には、上階床部に支持され、且つ、前記設備フリーパネルに設けられた係止部と係止自在な第１被係止部が備えられているとともに、
前記設備フリーパネルに対して天井設置機器を固定自在な機器固定部材が備えられ、この機器固定部材には、当該機器固定部材が天井設置機器を固定する固定姿勢となる状態で前記設備フリーパネルの前記係止部と係止自在な第２被係止部が備えられている請求項１〜４のいずれか１項目に記載の天井システム。
【請求項６】
前記天井材が、繊維質材を矩形板状に成形してなる天井基材と、当該天井基材の外周辺部のうちの相対向する一対の辺部の夫々に添設された撓み変形抑制部材とから構成され、
前記天井材吊下構造には、上階床部に支持され、且つ、前記天井材の外周辺部を下方から受け止める天井材受止部が備えられているとともに、
前記天井材が、隣り合う一対の前記天井材受止部の間に一対の前記撓み変形抑制部材を亘らせる状態で、隣り合う一対の前記天井材受止部の間に架設されている請求項１〜５のいずれか１項目に記載の天井システム。
【請求項７】
前記撓み変形抑制部材が、前記天井基材の相対向する一対の辺部の各々に接着接合され、
前記天井材には、前記天井基材の少なくとも室内側となる下面部を被覆する不燃性又は難燃性で可撓性を有した表面材が備えられ、
この表面材の両端側が、天井基材の相対向する一対の辺部の前記撓み変形抑制部材の各々に接着接合されている請求項６記載の天井システム。
【発明の詳細な説明】
【技術分野】
【０００１】
本発明は、建物内の天井を構成する天井システムに関する。
【背景技術】
【０００２】
この種の天井システムとして、例えば、特許文献１に示すように、天井面を形成する多数の天井材を天井材吊下構造にて上階床部に支持させ、且つ、天井設置機器を機器吊下構造にて上階床部に支持させて天井を構成するものがある。
【０００３】
この特許文献１記載の天井システムでは、天井材吊下構造が、天井材を取り付ける天井下地を吊りボルトにて上階床部に支持させるように構成されている。また、機器吊下構造が、天井材吊下構造とは別の吊りボルトにて、天井設置機器としての天井埋込型の照明装置を上階床部に支持させるように構成されている。
そのため、この特許文献１記載の天井システムは、天井埋込型の照明装置の荷重が天井材吊下構造に作用することがなく、天井材吊下構造の負担重量（つまり、天井の重量）が低減されている。
このように天井材吊下構造の負担重量が低減されると、地震の揺れに対して有利となり、地震時に天井が脱落するのを抑制することができるとともに、天井が脱落した場合でも、重量低減分だけ被害も少なくすることができる。
【先行技術文献】
【特許文献】
【０００４】
【特許文献１】特開２０１４−１２７３２０号公報
【発明の概要】
【発明が解決しようとする課題】
【０００５】
ところで、天井設置機器としては、埋め込み型の照明装置のように、天井に埋め込まれる機器に限らず、天井から下方に突出させる機器もある。また、天井設置機器としては、埋め込み型の照明装置のように、天井材に埋め込み用の穴を開ける開口処理が行い易い比較的大型の機器に限らず、天井材の開口処理が行い難い小型の機器もある。そのため、このような天井設置機器は、埋め込み型の照明装置と同様の吊下構造を単純に採用することできない。
しかしながら、このような天井設置機器についても、天井材吊下構造に重量を負担させない状態で機器吊下構造にて上階床部に支持させることで、天井材吊下構造の負担重量を一層低減し、地震時の天井脱落を一層抑制するとともに、天井脱落時の被害を一層少なくすることが望まれる。
【０００６】
この実情に鑑み、本発明の主たる課題は、天井材吊下構造に重量を負担させない状態で各種の天井設置機器を機器吊下構造にて効率的に上階床部に支持させることができ、天井材吊下構造の負担重量（所謂、天井の重量）の大幅な低減を良好に達成することができる天井システムを提供する点にある。
【課題を解決するための手段】
【０００７】
本発明の第１特徴構成は、天井面を形成する多数の天井材を天井材吊下構造にて上階床部に支持させ、且つ、天井設置機器を機器吊下構造にて上階床部に支持させて天井を構成する天井システムであって、
前記機器吊下構造が、天井設置機器の荷重を前記天井材吊下構造に負担させない状態で天井設置機器を上階床部に支持させるように構成されているとともに、
前記機器吊下構造として、複数種類の天井設置機器を取り付け可能な設備フリーパネルを介して当該設備フリーパネルに取り付けた天井設置機器を上階床部に支持させる第１機器吊下構造と、
前記設備フリーパネルを介さずに天井設置機器を上階床部に支持させる第２機器吊下構造と、が備えられている点にある。
【０００８】
上記構成によれば、機器吊下構造にて天井設置機器の荷重を前記天井材吊下構造に負担させない状態で天井設置機器を上階床部に支持させるにあたり、複数種類の天井設置機器を取り付け可能な設備フリーパネルを介して支持させる第１機器吊下構造と、当該設備フリーパネルを介さずに支持させる第２機器吊下構造とを適宜に採用することができる。
そのため、例えば、天井の下面から突出させる機器や小型の機器などの天井設置機器は、設備フリーパネルを使用した納まりのよい状態で第１吊下構造にて効率的に支持させ、他方、天井に埋め込む機器や大型の機器などの天井設置機器を、設備フリーパネルを使用せずに第２機器吊下構造にて効率的に支持させることが可能となる。
したがって、天井材吊下構造に重量を負担させない状態で各種の天井設置機器を機器吊下構造にて効率的に上階床部に支持させることができ、天井材吊下構造の負担重量（所謂、天井の重量）の大幅な低減を良好に達成することができる。
【０００９】
本発明の第２特徴構成は、前記天井が、前記天井材が配置されないライン状の設備ゾーンを備えたライン天井として構成され、当該設備ゾーンに前記第１機器吊下構造及び前記第２機器吊下構造にて天井設置機器が配設されるように構成され、
前記設備フリーパネルが、前記ライン状の設備ゾーンの幅に略対応した幅で構成され、
前記第１機器吊下構造が、前記ライン状の設備ゾーンに前記設備フリーパネルを配設自在で、且つ、当該設備ゾーンの長さ方向で設備フリーパネルの配設位置を変更自在に構成されている点にある。
【００１０】
上記構成によれば、第１機器吊下構造が、ライン天井におけるライン状の設備ゾーンに設備フリーパネルを配設自在で、且つ、当該設備ゾーンの長さ方向で設備フリーパネルの配設位置を変更自在に構成されているので、ライン状の設備ゾーンの長さ方向の適宜の位置に設備フリーパネルを配設することができる。よって、第２機器吊下構造にてライン状の設備ゾーンに配設した天井設置機器（例えば、大型の機器）を避けながら、第１機器吊下構造にて設備フリーパネルに取り付けた天井設置機器（例えば、小型の機器）をライン状の設備ゾーンに配設することが可能となり、ライン天井におけるライン状の設備ゾーンに各種の天井設置機器を適切に配設することができる。
しかも、設備フリーパネルが、ライン状の設備ゾーンの幅に略対応した幅で構成されているので、ライン天井のライン状の設備ゾーンに設備フリーパネルを配設した状態で、設備フリーパネルによりライン状の設備ゾーンを略閉塞することができる。よって、第１機器吊下構造にて天井設置機器を見栄え良くライン状の設備ゾーンに配設することができる。
【００１１】
本発明の第３特徴構成は、前記第１機器吊下構造が、前記ライン状の設備ゾーンの長さ方向に沿ってスライド移動可能な状態で前記設備フリーパネルを設備ゾーンに配設するように構成されている点にある。
【００１２】
上記構成によれば、ライン天井のライン状の設備ゾーンに設備フリーパネルを配設した状態で、当該設備フリーパネルをライン状の設備ゾーンの長さ方向に沿ってスライド移動させて位置調整することにより、ライン状の設備ゾーンの長さ方向の適切な位置に設備フリーパネルを容易に配設することができる。
また、将来的に天井設置機器のレイアウト変更などの要望があった場合でも、同様に設備フリーパネルをライン状設備ゾーンの長さ方向に沿ってスライド移動させて位置変更することにより、容易に対応することができる。
【００１３】
本発明の第４特徴構成は、前記第１機器吊下構造には、上階床部に支持され、且つ、前記設備フリーパネルに設けられた係止部と係止自在な第１被係止部が備えられているとともに、
前記設備フリーパネルの係止部と前記第１被係止部とが、前記上階床部に支持された第１被係止部に対する設備フリーパネルの下方側からの接近移動に伴って係止可能に構成されている点にある。
【００１４】
上記構成によれば、上階床部に支持された第１被係止部と設備フリーパネルの係止部とを係止させることで、第１機器吊下構造にて設備フリーパネルを上階床部に適切に支持させることができる。
しかも、天井設置機器を取り付けた設備フリーパネルを天井側に移動させるだけの簡単な操作により、上階床部に支持された第１被係止部に設備フリーパネルの係止部を係止させることができる。
【００１５】
本発明の第５特徴構成は、前記第１機器吊下構造には、上階床部に支持され、且つ、前記設備フリーパネルに設けられた係止部と係止自在な第１被係止部が備えられているとともに、
前記設備フリーパネルに対して天井設置機器を固定自在な機器固定部材が備えられ、この機器固定部材には、当該機器固定部材が天井設置機器を固定する固定姿勢となる状態で前記設備フリーパネルの前記係止部と係止自在な第２被係止部が備えられている点にある。
【００１６】
上記構成によれば、上階床部に支持された第１被係止部と設備フリーパネルの係止部とを係止させることで、第１機器吊下構造にて設備フリーパネルを上階床部に適切に支持させることができる。
また、機器固定部材が天井設置機器を固定する固定姿勢となる状態で機器固定部材に備えられた第２被係止部と設備フリーパネルの係止部とを係止させることで、設備フリーパネルに天井設置機器を適切に固定することができる。
しかも、設備フリーパネルの係止部が、上階床部に支持された第１被係止部に対する係止用と、機器固定部材に備えられた第２被係止部に対する係止用とに兼用構成されているので、構造の簡素化も図ることができる。
【００１７】
本発明の第６特徴構成は、前記天井材が、繊維質材を矩形板状に成形してなる天井基材と、当該天井基材の外周辺部のうちの相対向する一対の辺部の夫々に添設された撓み変形抑制部材とから構成され、
前記天井材吊下構造には、上階床部に支持され、且つ、前記天井材の外周辺部を下方から受け止める天井材受止部が備えられているとともに、
前記天井材が、隣り合う一対の前記天井材受止部の間に一対の前記撓み変形抑制部材を亘らせる状態で、隣り合う一対の前記天井材受止部の間に架設されている点にある。
【００１８】
上記構成によれば、繊維質材で矩形板状に成形された軽量な天井基材を、撓み変形抑制部材にて適切に補強することができ、軽量でありながら撓み変形の抑制された優れた天井材を構成することができる。
そして、天井材に備えられた撓み変形抑制部材を架材に利用し、当該天井材を隣り合う一対の天井材受止部の間に落下し難い状態で適切に架設することができる。
【００１９】
本発明の第７特徴構成は、前記撓み変形抑制部材が、前記天井基材の相対向する一対の辺部の各々に接着接合され、
前記天井材には、前記天井基材の少なくとも室内側となる下面部を被覆する不燃性又は難燃性で可撓性を有した表面材が備えられ、
この表面材の両端側が、天井基材の相対向する一対の辺部の前記撓み変形抑制部材の各々に接着接合されている点にある。
【００２０】
上記構成によれば、天井基材の少なくとも室内側となる下面部を被覆する不燃性又は難燃性の表面材により天井材の耐火性能を向上させることができ、火災時における火災の拡大を抑制することができる。
しかも、可撓性を有した表面材は、繊維質材を矩形板状に成形してなる天井基材の一対の辺部に対して、直接に接着接合するのではなく、天井基材よりも撓み難い撓み変形抑制部材を介して接着接合されているので、例えば、表面材の面方向に強い引張力を付与する状態にて天井基材に表面材を取り付けることが可能となり、表面材に皺のない美麗な天井を構成することができる。
【図面の簡単な説明】
【００２１】
【図１】天井システムの下方側から見上げた状態の斜視図
【図２】設備フリーパネルの吊下箇所を示す断面図
【図３】設備フリーパネルの吊下箇所の要部を示す斜視図
【図４】設備フリーパネルの取付方法を示す断面図
【図５】バー材の取付箇所の要部を示す斜視図
【図６】第１機器吊下構造による天井設置機器の取り付け箇所を示す断面図
【図７】第１機器吊下構造による天井設置機器の取り付け箇所の要部を示す斜視図
【図８】設備フリーパネルへの天井設置機器の取り付け方法を示す断面図
【図９】第２機器吊下構造による天井設置機器の取り付け箇所を示す断面図
【図１０】第２機器吊下構造による天井設置機器の取り付け箇所を示す断面図
【図１１】（ａ）天井材の分解図、（ｂ）天井材の短手方向の断面図
【図１２】天井改修工程を示す断面図
【発明を実施するための形態】
【００２２】
本発明に係る天井システムの実施形態を図面に基づいて説明する。
図１は、建物の一例であるオフィスビルに採用された天井システムを下方側から見上げた状態を示している。この図では、便宜上、天井面を形成する多数の天井材２のうち、一部の天井材２を取り外した状態で記載している。
【００２３】
図１の例では、天井システムが、細幅のライン状の設備ゾーンＡをＸ方向に一定ピッチで備え、且つ、設備ゾーンＡどうしの間に天井面を形成する多数の天井材２をＹ方向に連設した一般天井ゾーンＢを備えたライン天井（システム天井の一例）として構成されている。各設備ゾーンＡには、天井設置機器１として、細幅のライン状の照明装置や吹き出し口や吸い込み口などの比較的大型の天井設置機器１Ｂ、及び、火災感知器や非常放送口や非常照明装置などの小型の天井設置機器１Ａが配設されている。
なお、本発明に係る天井システムは、このようなライン天井に限らず、グリッド天井などの各種の天井に適用することが可能である。
【００２４】
そして、この天井システムは、天井材吊下構造Ｔにて、天井材２を上階の床スラブ（上階床部の一例）Ｓに支持させるとともに、天井材吊下構造Ｔとは異なる機器吊下構造Ｋにて、天井材吊下構造Ｔには荷重を負担させない状態で天井設置機器１を上階の床スラブＳに支持させて天井を形成するように構成されている。
【００２５】
更に、この天井システムは、機器吊下構造Ｋとして、複数種類の小型の天井設置機器１Ａを取り付け可能な設備フリーパネル８を介して小型の天井設置機器１Ａを上階の床スラブＳに支持させる第１機器吊下構造Ｋ１（図６参照）と、このような設備フリーパネル８を介さずに主として大型の天井設置機器１Ｂを上階の床スラブＳに支持させる第２機器吊下構造Ｋ２（図９、図１０参照）とが備えられている。
【００２６】
そのため、この天井システムは、これらの第１機器吊下構造Ｋ１と第２機器吊下構造Ｋ２とを、天井設置機器１の種別に応じて適切に使い分けることで、天井材吊下構造Ｔに重量を負担させない状態で各種の天井設置機器１を機器吊下構造Ｋにて効率的に上階の床スラブＳに支持させることができ、天井材吊下構造Ｔの負担重量（所謂、天井の重量）の大幅な低減を良好に達成することができる。
以下、各吊下構造について説明を加える。
【００２７】
（天井材吊下構造）
図１に示すように、天井材吊下構造Ｔには、上階の床スラブＳの下面に埋設された多数の吊りボルト３Ａ（吊り具の一例）と、当該吊りボルト３Ａの下端側に取り付けられたＸ方向に延びる多数本の野縁受け４と、当該野縁受け４の下面側に取り付けられたＹ方向に延びる多数本のバー材５とが備えられている。
そして、この天井材吊下構造Ｔは、一般天井ゾーンＢを挟んで隣り合うバー材５どうしの間に天井材２を架設することにより、天井材２を一般天井ゾーンＢに配置する状態で上階の床スラブＳに支持させることができる。
【００２８】
前記野縁受け４は、例えば、Ｃ型鋼などの鋼材で製作された長尺材にて構成され、Ｘ方向に延びる姿勢で、且つ、Ｙ方向に沿って一定ピッチで並ぶ状態で天井全体に配設されている。各野縁受け４は、直上に位置する複数本の吊りボルト３Ａの下端部に取り付けた野縁受けハンガー６を介して上階の床スラブＳに吊下支持されている。
なお、この天井システムでは、前述したように天井材吊下構造Ｔの負担重量が大幅に低減されているので、野縁受け４の配設ピッチを広くして野縁受け４の本数を削減することも可能である。このようにすれば、野縁受け４の本数を削減する分、更に天井材吊下構造Ｔの負担重量を低減することができる。
【００２９】
前記バー材５は、例えば、アルミ合金やスチールなどで製作された長尺材にて構成され、Ｙ方向に延びる姿勢で、且つ、一般天井ゾーンＢを挟むＸ方向の複数箇所に配設されている。本実施形態では、バー材５は、一般天井ゾーンＢと設備ゾーンＡとの各境界箇所に配設されている。各バー材５は、野縁受け４に取り付けたバー材用ハンガー７を介して野縁受け４に取り付けられている。
【００３０】
前記バー材５は、図１２（ｃ）、図５に示すように、野縁受け４に対して取り付け可能な野縁受け取付部５Ａと、天井材２を受け止め支持可能な天井材受止部５Ｂとが備えられ、野縁受け４に取り付けた状態で天井材２を受け止め支持できるように構成されている。各バー材５は、一般天井ゾーンＢを挟んで天井材受止部５Ｂが向かい合う相対姿勢で配設されている。
【００３１】
前記野縁受け取付部５Ａは、上下方向に沿う略縦姿勢の基板部５ａの上端部から左右幅方向に沿う横姿勢で左右両外方側に突出させた上端側横板部５ｂと、当該上端側横板部５ｂの下面側に形成した下向き開口の一対の被係合凹部５ｅとから構成されている。各被係合凹部５ｅは、上端側横板部５ｂの左右の両先端部を下向きに屈曲させて構成されている。
この野縁受け取付部５Ａは、上端側横板部５ｂの上面部を野縁受け４の下面部に当接させた姿勢で、上端側横板部５ｂの下面側の一対の被係合凹部５ｅに対して、野縁受け４に取り付けたバー材用ハンガー７の後述する係合爪部７ｂを係合させることでバー材用ハンガー７を介してバー材５を野縁受け４に安定的に取り付けることができる。
【００３２】
なお、基板部５ａの上端側には、野縁受け取付部５Ａの位置を一般天井ゾーンＢ側に偏倚させて設備ゾーンＡ側の空間を広く確保するためのＬの字状に屈曲する屈曲板部５ｆが設けられている。なお、この屈曲板部５ｆは、地震時においては、野縁受け取付部５Ａを支点とするバー材５の揺動範囲を、バー材用ハンガー７の係合爪部７ｂの屈曲角部との当接により制限し、バー材５が大きく傾くことによる天井材２の脱落を抑制することができる。
【００３３】
前記天井材受止部５Ｂは、基板部５ａの下端部から左右幅方向に沿う横姿勢で左右一方側の一般天井ゾーンＢ側に突出させた下端側横板部５ｇから構成されている。この天井材受止部５Ｂは、一般天井ゾーンＢを挟んで向かい合うバー材５の下端側横板部５ｇの各々の上面側に天井材２の端部の各々を載置することで、天井材２を受け止め支持することができる。
【００３４】
前記基板部５ａにおける下端側横板部５ｇから天井材２の厚み分だけ上方に偏倚した箇所には、横方向に沿って一般天井ゾーンＢ側に突出する脱落抑制板部５ｈ（脱落抑制部の一例）が形成されている。
この脱落抑制板部５ｈは、天井材２の端部を下端側横板部５ｇの上面側に載置した状態で天井材２の上面の近傍箇所且つ対面箇所に配置される。換言すれば、天井材２の端部は、下端側横板部５ｇと脱落抑制板部５ｈとの間に配置されることになる。
そのため、下端側横板部５ｇと脱落抑制板部５ｈとの間で天井材２の端部の動きを規制することができ、天井材２の脱落などを適切に抑制することができる。
【００３５】
また、前記基板部５ａにおける下端側横板部５ｇから僅かに上方側に偏倚した箇所には、横方向に沿って設備ゾーンＡ側に突出する目隠し板部５ｉ（目隠し部の一例）が形成されている。当該目隠し板部５ｉは、その設置状態において、図６、図１０に示すように、設備ゾーンＡの端部（後述する天井設置機器１や設備フリーパネル８との取り合い部）の隙間を下方から覆うことで当該隙間が人の目に晒されるのを抑制したり、図９に示すように設備ゾーンＡの端部の隙間に配置されることで天井設置機器１Ｂを水平方向で位置決めしながら当該隙間が目立つのを抑制したりすることができる。
【００３６】
前記バー材用ハンガー７は、例えば、図５に示すように、アルミ合金やスチールなどで製作された門型の金具として構成されている。このバー材用ハンガー７は、野縁受け４を跨ぐ状態で野縁受け４に装着可能な凹状の野縁受け装着部７Ａと、バー材５を係合状態で支持可能な被係合部７Ｂとが備えられ、野縁受け４に装着した状態でバー材５を支持可能に構成されている。
更に、バー材用ハンガー７には、前記野縁受け装着部７Ａに野縁受け４を配置した状態で前記被係合部７Ｂを上方に引き上げることで、野縁受け装着部７Ａへの野縁受け４の装着と、被係合部７Ｂへのバー材５の係合を強固にするための引き上げ操作部７Ｄが備えられている。
【００３７】
前記被係合部７Ｂは、図１２（ｃ）に示すように、左右一対の門の字状の側板部７ａの二股状の各先端部から左右中央側となる内向きに屈曲形成された係合爪部７ｂにて構成されている。当該被係合部７Ｂは、各バー材５における野縁受け取付部５Ａの被係合凹部５ｅに係合爪部７ｂを係入させることで、各バー材５における野縁受け取付部５Ａと係合させることができる。
【００３８】
前記引き上げ操作部７Ｄは、左右一対の門の字状の側板部７ａの上端部どうしに亘る上板部に形成された雌ネジ部（図示省略）と、先端側が野縁受け４の上面部に当接する状態で当該雌ネジ部に上下螺進自在に螺合させた操作ボルト７ｅとから構成されている。
バー材用ハンガー７の野縁受け装着部７Ａに野縁受け４を配置し、且つ、バー材用ハンガー７の被係合部７Ｂに対してバー材５の野縁受け取付部５Ａを係合させた状態で、当該操作ボルト７ｅを下向きに螺進させることで、被係合部７Ｂを上方側に引き上げて、バー材５における野縁受け取付部５Ａの上端側横板部５ｂの上面部を野縁受け４の下面部に当接させる状態で野縁受け４を締め付けることができる。そのため、野縁受け装着部７Ａへの野縁受け４の装着と被係合部７Ｂへのバー材５の係合が強固なものとなる。
【００３９】
図１に戻り、前記天井材２は、軽量な繊維質材を主要構成とする矩形板状の軽量天井材として構成されている。この天井材２には、図１１に示すように、繊維質材の一例であるグラスウールを矩形板状に成形した天井基材２Ａと、当該天井基材２Ａの撓み変形を抑制する帯板状の撓み変形抑制部材２Ｂと、天井基材２Ａの少なくとも室内側となる下面部を被覆する不燃性又は難燃性で可撓性を有した表面材２Ｃが備えられている。
【００４０】
撓み変形抑制部材２Ｂは、例えば、アルミ合金やスチールなどで製作された細長い帯板状の板材にて構成されている。撓み変形抑制部材２Ｂの幅寸法（図１１中の上下方向に沿う高さ寸法）は、天井基材２Ａの高さ寸法（厚み寸法）と同一又は略同一である。また、撓み変形抑制部材２Ｂの長さ寸法は、天井基材２Ａの外周辺部のうちの長辺部の長さ寸法と同一又は略同一である。そして、この撓み変形抑制部材２Ｂは、天井基材２Ａの一対の長辺部の各々の端面部の全域を覆う状態で当該長辺部の端面部の全域に接着剤などの接着手段で接合されている。
【００４１】
この撓み変形抑制部材２Ｂにより、重量の増加を極力抑えながら天井基材２Ａの撓み剛性を適切且つ効率的に補強することができ、天井材２がバー材５の間に架設された状態で天井材２の長手方向中間部が垂れ下がるのを抑制することができる。しかも、一般天井ゾーンＢを挟んで向かい合うバー材５の天井材受止部５Ｂに天井材２を架設させた状態では、天井材２の長辺部の全域に接合させた撓み変形抑制部材２Ｂもバー材５の天井材受止部５Ｂに架設することができる。よって、一般天井ゾーンＢを挟んで向かい合うバー材５の両天井材受止部５Ｂに天井材２を落下し難い状態で適切に架設することができる。
【００４２】
前記不燃性又は難燃性の表面材２Ｃは、例えば、ガラスペーパーなどの素材にて構成され、撓み変形抑制部材２Ｂが配置された天井基材２Ａの各長辺部の端面部を巻く状態で、天井基材２Ａの室内側となる下面部、当該端面部、上面部の端面側を被覆するように構成されている。当該表面材２Ｃは、張力を付与して皺をなくした状態で、天井基材２Ａの両長辺部の端面部に接着接合された撓み変形抑制部材２Ｂに接着剤などの接着手段で接合されている。
【００４３】
（機器吊下構造）
次に、機器吊下構造Ｋについて説明する。
前述の如く、機器吊下構造Ｋとしては、図６に示すように、設備フリーパネル８を介して小型の天井設置機器１Ａを上階の床スラブＳに支持させる第１機器吊下構造Ｋ１と、図９、図１０に示すように、設備フリーパネル８を介さずに主として大型の天井設置機器１Ｂを上階の床スラブＳに支持させる第２機器吊下構造Ｋ２とが備えられている。
小型の天井設置機器１Ａは、第１機器吊下構造Ｋ１にて設備フリーパネル８を使用した納まりのよい状態で効率的に支持させ、他方、大型の天井設置機器１Ｂは、第２機器吊下構造Ｋ２にて、設備フリーパネル８を使用せずに効率的に支持させることができる。
【００４４】
（イ）第１機器吊下構造
図６に示すように、第１機器吊下構造Ｋ１には、上階の床スラブＳの下面に埋設される多数の吊りボルト３Ｂ（吊り具の一例、図１参照）と、当該吊りボルト３Ｂに取り付けられた設備フリーパネル８と、当該設備フリーパネル８との間で天井設置機器１Ａを挟み込み固定可能な機器固定プレート（機器固定部材）９とが備えられている。吊りボルト３Ｂは、設備ゾーンＡの直上に位置し、天井材吊下構造Ｔを構成しないものである。
この第１機器吊下構造Ｋ１は、設備ゾーンＡに配設された設備フリーパネル８に所望の天井設置機器１Ａを取り付けることにより、当該天井設置機器１Ａを天井材吊下構造Ｔに荷重を負担させない状態で上階の床スラブＳに支持させることができる。
また、この設備フリーパネル８は、設備ゾーンＡの適所に設置可能であり、しかも、設備フリーパネル８の自身の適所に天井設置機器１Ａが取り付け可能であるので、設備ゾーンＡの適切な位置に天井設置機器１Ａを配置することができる。
【００４５】
前記設備フリーパネル８は、図２、図３、図６、図７に示すよう、アルミ合金やスチールなどで製作され、複数種類の天井設置機器１Ａを取り付け自在な機器取付部８Ａ（図６、図７参照）と、直上の吊りボルト３Ｂに係止自在な係止部８Ｂ（図２、図３参照）とを備えて構成されている。本実施形態では、設備フリーパネル８は、図２、図３に示すように、フリーパネル用ハンガー１０を介して吊りボルト３Ｂに取り付けられている。
【００４６】
前記機器取付部８Ａは、例えば、図６、図７に示すように、設備ゾーンＡを閉塞する状態で設備ゾーンＡに略水平姿勢で配置される平板状の取付板部８ａから構成されている。当該取付板部８ａは、それの短手方向の幅が設備ゾーンＡの幅に略対応した寸法で構成されている。
そして、この取付板部８ａは、天井設置機器１Ａの種別などに応じた大きさ・形状の取り付け穴８ｂ（図８（ａ）参照）を適宜の箇所に開口形成することで、複数種類の天井設置機器１Ａを任意の箇所に取り付けることができる。また、例えば、取付板部８ａは、複数種類の天井設置機器１Ａに応じた複数種類の大きさ・形状の取り付け穴８ｂを開口形成することで、複数種類の天井設置機器１Ａを同時に取り付けることもできる。なお、当該取り付け穴８ｂは、取付板部８ａに予め形成されていてもよい。
【００４７】
前記係止部８Ｂは、図２、図３に示すように、フリーパネル用ハンガー１０の被係止部１０Ｂ（第１被係止部）に係止自在に構成されている。当該係止部８Ｂは、例えば、取付板部８ａの左右の両端部から上向きに立ち上がる略鉛直姿勢の左右の側板部８ｄに備えられた弾性変形自在な係止爪部８ｅから構成されている。当該係止爪部８ｅは、左右の側板部８ｄの先端側を左右中央側且つ下方側に折り返して構成されている。
【００４８】
前記フリーパネル用ハンガー１０は、例えば、図３に示すように、アルミ合金やスチールなどで製作された門型の金具として構成されている。このフリーパネル用ハンガー１０は、吊りボルト３Ｂに取り付け自在な吊りボルト取付部１０Ａと、設備フリーパネル８が係止自在の被係止部１０Ｂとが備えられ、吊りボルト３Ｂの下端部に取り付けた状態で設備フリーパネル８を係止状態で支持可能に構成されている。
当該フリーパネル用ハンガー１０は、Ｘ方向を長手方向とする略水平姿勢の上板部１０ａと、当該上板部１０ａの長手方向の両端部から下方に延びる４つの側板部１０ｂとを備えて構成されている。
【００４９】
前記吊りボルト取付部１０Ａは、例えば、上板部１０ａの略中央部位にボルト挿通穴１０ｄを形成して構成されている。この吊りボルト取付部１０Ａは、ボルト挿通穴１０ｄに吊りボルト３Ｂを挿通させた状態で、吊りボルト３Ｂの上下に螺合させたナット１０ｅにて上板部１０ａを締め付けることで、フリーパネル用ハンガー１０を所望の高さにて吊りボルト３Ｂに取り付けることができる。
なお、ボルト挿通穴１０ｄはＸ方向に長い長孔形状とされており、フリーパネル用ハンガー１０の吊り下げ位置をＸ方向に沿って調整することができる。
【００５０】
前記被係止部１０Ｂは、例えば、側板部１０ｂの各々の下端側の外側辺に外方に向かって突出形成された４つの被係止爪部１０ｆから構成されている。当該被係止爪部１０ｆは、略水平姿勢の上辺部と、下方側ほど左右中央側に位置する傾斜姿勢の側辺部とを備えて構成されている。
【００５１】
設備フリーパネル８は、上階の床スラブＳに支持されたフリーパネル用ハンガー１０に対する下方側からの接近移動に伴ってフリーパネル用ハンガー１０に取り付け可能に構成されている。具体的には、図４（ａ）〜（ｃ）に示すように、設備フリーパネル８の係止部８Ｂは、天井側に設置状態にあるフリーパネル用ハンガー１０に対して設備フリーパネル８を下方側から接近移動させることで、フリーパネル用ハンガー１０の被係止部１０Ｂに係止させることができる。なお、図４中の一点鎖線は、天井面の位置を示している。
【００５２】
その際、設備フリーパネル８の係止部８Ｂの係止爪部８ｅが弾性変形しながら設備フリーパネル８の上方への移動が許容され（図４（ａ）〜図４（ｂ）参照）、設備フリーパネル８の上方移動に伴い係止部８Ｂと被係止部１０Ｂが所定の相対位置になったときに、係止部８Ｂの係止爪部８ｅが弾性復元してフリーパネル用ハンガー１０の被係止部１０Ｂの被係止爪部１０ｆに自動的に係止する（図４（ｂ）〜図４（ｃ）参照）。
【００５３】
なお、フリーパネル用ハンガー１０の被係止爪部１０ｆの側辺部は、設置状態のフリーパネル用ハンガー１０に対して設備フリーパネル８を下方側から接近移動させる場合に、設備フリーパネル８の係止爪部８ｅを、具体的な被係止箇所である被係止爪部１０ｆの上辺部まで弾性変形させながら移動案内する係止ガイドとして機能する。
【００５４】
また、設備フリーパネル８の係止部８Ｂと、フリーパネル用ハンガー１０の被係止部１０Ｂとの間には、両者のＹ方向への相対移動を規制するものがなく、そのため、設備フリーパネル８は、フリーパネル用ハンガー１０に取り付けて設備ゾーンＡに配設した状態で、設備ゾーンＡの長さ方向であるＹ方向に沿ってスライド移動自在である。よって、設備フリーパネル８を設備ゾーンＡに配設した状態で設備フリーパネル８をスライド移動させることで、設備フリーパネル８の設置位置をＹ方向に沿って容易に調整することができる。
【００５５】
前記機器固定プレート９は、例えば、図６〜図８に示すように、アルミ合金やスチールなどで製作され、設備フリーパネル８に取り付けた天井設置機器１Ａを固定自在な機器固定部９Ａと、設備フリーパネル８の係止部８Ｂと係止自在な被係止部９Ｂ（第２被係止部）とを備えて構成されている。
【００５６】
前記機器固定部９Ａは、例えば、天井設置機器１Ａの周囲を下向きに押圧可能な略水平姿勢の平板状の機器押さえ板部９ａから構成されている。当該機器押さえ板部９ａは、それの短手方向（Ｘ方向）の幅が設備フリーパネル８の左右の側板部８ｄの間の設置空間の幅寸法に略対応した寸法とされ、設備フリーパネル８の上方側から設備フリーパネル８の左右の側板部８ｄの間に入り込み配置可能に構成されている。
そして、この機器押さえ板部９ａには、複数種類の天井設置機器１Ａの中央部を配置可能な大きさの挿通穴９ｂが開口形成され、当該挿通穴９ｂに天井設置機器１Ａの中央部を挿通させる状態で、天井設置機器１Ａの外周部を上方側から押圧可能に構成されている。
なお、挿通穴９ｂは、天井設置機器１Ａの種別などに応じた大きさ・形状にて施工現場にて開口形成するようにしてもよい。
【００５７】
前記被係止部９Ｂは、例えば、下向きに突出する略鉛直姿勢の左右の両側板部９ｄを備えた左右の両側部位９ｅにて構成されている。左右の側板部９ｄの存在により当該両側部位９ｅの高さ寸法が、設備フリーパネル８の取付板部８ａの上面と係止爪部８ｅとの間の設置空間の高さ寸法に構成されている。この被係止部９Ｂは、機器固定プレート９の左右の両側部位９ｅが設置空間に嵌り込んで設備フリーパネル８の係止爪部８ｅに上方側への離脱移動を規制された状態で、機器固定プレート９を設備フリーパネル８に取り付けることができる。
【００５８】
設備フリーパネル８への天井設置機器１Ａの取り付けは、例えば、以下の手順で行うことができる。なお、この設備フリーパネル８への天井設置機器１Ａの取り付けは、設備フリーパネル８を設備ゾーンＡに設置する前と、設備フリーパネル８を設備ゾーンＡに設置した後のいずれのタイミングでも行うことができ、作業工程などに応じた適切なタイミングで行えばよい。
【００５９】
まず、図８（ａ）に示すように、設備フリーパネル８の機器取付部８Ａの取付板部８ａに天井設置機器１Ａの種別に応じて大きさ・形状の取り付け穴８ｂを開口形成する。
次に、図８（ｂ）に示すように、天井設置機器１Ａを上方側から設備フリーパネル８に接近移動させることで、天井設置機器１Ａの中央部が取り付け穴８ｂの内部に配置され、且つ、天井設置機器１Ａの外周部を設備フリーパネル８の取付板部８ａに上面に載置される状態で天井設置機器１Ａを設備フリーパネル８の機器取付部８Ａの取付板部８ａの上に配置する。
その後、図８（ｂ）に示すように、機器固定プレート９を、機器固定プレート９の機器押さえ板部９ａの挿通穴９ｂに天井設置機器１Ａの中央部を挿通させる状態で、上方側から設備フリーパネル８に接近移動させることで、設備フリーパネル８の係止爪部８ｅを弾性変形させながら、設備フリーパネル８の左右の側板部８ｄの間の設置空間に機器固定プレート９を進入させる。設備フリーパネル８の係止爪部８ｅは、機器固定プレート９が設置空間に到達した固定姿勢となったときに弾性復元して、機器固定プレート９を設備フリーパネル８に自動的に固定する。
このようにして、天井設置機器１の外周部を設備フリーパネル８と機器固定プレート９とで上下方向から挟む込む状態で天井設置機器１Ａを設備フリーパネル８に固定することができる。
【００６０】
（ロ）第２機器吊下構造
第２機器吊下構造Ｋ２は、図９、図１０に示すように、設備ゾーンＡにおいて設備フリーパネル８を介さず、大型の天井設置機器１Ｂを天井材吊下構造Ｔに荷重を負担させない状態で上階の床スラブＳに支持させるものである。
例えば、図９では、設備ゾーンＡの直上に位置し、天井材吊下構造Ｔを構成しない吊りボルト３Ｂが備えられ、当該吊りボルト３Ｂで天井設置機器１Ｂの一例であるライン状の照明装置を支持する第２機器吊下構造Ｋ２を例に示している。また、図１０では、ダクト支持具の一例である吊りボルト３Ｂで上階の床スラブＳに支持されたダクトなどを介して天井設置機器１Ｂの一例である吹き出し口装置を上階の床スラブＳに支持する第２機器吊下構造Ｋ２を例に示している。
このように、第２機器吊下構造Ｋ２は、設備フリーパネル８、及び、天井材吊下構造Ｔの支持力を使用せず、天井設置機器１Ｂを上階の床スラブＳに支持させることが可能な各種の構造を採用することができる。
なお、この第２機器吊下構造Ｋ２において、天井設置機器１Ｂを吊りボルト３Ｂに取り付ける場合には、直接的に取り付けるのに限らず、勿論、ハンガー等の取付部材を介して取り付けるようにしてもよい。
【００６１】
次に、既設の天井システムを本発明に係る天井システムに改修する天井改修工法について説明する。
図１２（ａ）は、既設の天井システムを示している。この既設の天井システムは、吊りボルト３Ａにて吊り下げ支持された野縁受け４の下面側にＣ型鋼等のチャンネル材からなる野縁１１を取り付け、この野縁１１に対してビス等の固定手段（図示省略）にて単層又は複層の石膏ボードなどからなる天井材１２を取り付けて構成されている。
この既設の天井システムでは、野縁１１や天井材１２の重量が重く、更に、図示は省略するが、小型の天井設置機器１Ａは天井材１２に取り付けられているため、天井の重量が重い天井システムとなっている。
【００６２】
この既設の天井システムを本発明に係る天井システムに改修するには、まず、図１２（ｂ）に示すように、既設の天井システムにおける野縁受け４よりも下方側の構造を撤去する。具体的には、既設の天井システムにおける天井材１２と野縁１１を撤去する。
そして、図１２（ｃ）に示すように、撤去せずに残した野縁受け４に対して、バー材用ハンガー７を介してバー材５を取り付け、バー材５どうしの間に軽量な天井材２を架設して天井材吊下構造Ｔを構成する。
また、図２、図６、図９、図１０に示すように、上階の床スラブＳにおける設備ゾーンＡの直上部位に新たな吊りボルト３Ｂを取り付け、当該吊りボルト３Ｂに対して、設備フリーパネル８を介して天井吊下機器１Ａを取り付け、又は、設備フリーパネル８を介さず天井設置機器１Ｂを取り付け、機器吊下構造Ｋを構成する。
このようにして、既設の吊りボルト３Ａや野縁受け４を利用しながら、既設の天井システムを本発明に係る天井システムを効率的に改修し、天井の大幅な軽量化を図って地震時の安全性を向上させることができる。
また、本発明に係る天井システムでは、野縁受け４の下面から天井材２の下面までの高さ寸法Ｚが、埋め込み型の照明器具などの天井設置機器１を野縁受け４に干渉せずに配置可能な寸法に設定されているので、このような天井設置機器１を野縁受け４を切断することなく設置することも可能となる。
【００６３】
〔別実施形態〕
（１）前述の実施形態の改良として、天井材吊下構造Ｔに対して天井材２の脱落を防止する防止する脱落阻止措置を施してもよい。
この場合、例えば、脱落防止措置として、天井材吊下構造Ｔと天井材２との間に軽量のワイヤー（脱落防止部材としての連結部材の一例）を亘らせるなどにより実施することが可能である。例えば、図１１中で点線で示したように、天井材２の側の撓み変形抑制部材２Ｂに形成した挿通穴２ａに環状のワイヤー２ｂを挿通状態で付設しておく。そして、図示は省略するが、天井材２を一般天井ゾーンＢに配設した状態で、天井材吊差下構造Ｔの側のバー材５に対して当該ワイヤー２ｂの他端側をクリップなどの接続手段で接続して実施することができる。このようにすれば、重量の増加を回避しながらワイヤーを介して天井材２の脱落を防止することができる。
なお、脱落防止措置としては、ワイヤーなどの連結部材で連結するものに限らず、天井材２の脱落を防止可能な各種のものを用いることができる。
【００６４】
（２）前述の実施形態では、天井材２の撓み変形抑制部材２Ｂを、天井基材２Ａの一対の長辺部に設ける場合を例に示したが、天井基材２Ａの外周辺部の全ての辺部、或いは、外周辺部のいずれか一つの辺部に設けてもよい。また、本発明に係る天井システムをグリッド天井に適用する場合など天井材２の全ての辺部の長さが比較的短くなる場合には、特に撓み変形抑制部材２Ｂを設けなくともよい。なお、前述の実施形態では、天井材２の撓み変形抑制部材２Ｂを、天井基材２Ａの外周辺部の端面部に接合する場合を例に示したが、必ずしも接合する必要はない。
【００６５】
（３）前述の実施形態では、天井材吊下構造Ｔが、吊りボルト３Ａ、野縁受け４、バー材５などで構成されている場合を例に示したが、天井材２を上階の床スラブＳに支持させることができる種々の構造を適宜に採用することができる。また、天井材吊下構造Ｔを、吊りボルト３Ａ、野縁受け４、バー材５などで構成する場合でも、これらの具体的構成は種々の構成変更が可能である。
【００６６】
（４）前述の実施形態では、第１機器吊下構造Ｋ１が、吊りボルト３Ｂ、設備フリーパネル８、機器固定プレート９、フリーパネル用ハンガー１０などで構成されている場合を例に示したが、設備フリーパネル８以外の構成は必ずしも必要ではなく、天井材吊下構造Ｔには荷重を負担させない状態で、設備フリーパネル８を介して天井設置機器１を上階の床スラブＳに支持させることができる種々の構造を適宜に採用することができる。また、第１機器吊下構造Ｋ１を構成するのに、吊りボルト３Ｂ、機器固定プレート９、フリーパネル用ハンガー１０などを使用する場合でも、これらの具体的構成は種々の構成変更が可能である。更に、設備フリーパネル８の具体的構成も種々の構成変更が可能である。
【００６７】
（５）前述の実施形態では、第２機器吊下構造Ｋ２が、吊りボルト３Ｂやダクト支持具やダクトなどで構成されている場合を例に示したが、天井材吊下構造Ｔには荷重を負担させない状態で、設備フリーパネルを介さずに天井設置機器１を上階の床スラブＳに支持させることが可能な各種の構造を適宜に採用することができる。また、第２機器吊下構造Ｋ２を構成するのに、吊りボルト３Ｂやダクト支持具やダクトなどを使用する場合でも、これらの具体的構成は種々の構成変更が可能である。
【００６８】
以上、本発明の実施形態について説明したが、本発明はこれらの実施形態に限定されるものでなく、上記実施形態及び各種の変形例を適宜組み合わせて用いても良いし、本発明の要旨を逸脱しない範囲において、種々なる態様で実施し得ることは勿論である。
【符号の説明】
【００６９】
Ｔ        天井材吊下構造
Ｋ        機器吊下構造
Ｋ１      第１機器吊下構造
Ｋ２      第２機器吊下構造
Ｓ        床スラブ（上階床部）
１        天井設置機器
２        天井材
２Ａ      天井基材
２Ｂ      撓み変形抑制部材
２Ｃ      表面材
５Ｂ      天井材受止部
８        設備フリーパネル
８Ｂ      係止部
９        機器固定プレート（機器固定部材）
９Ｂ      被係止部（第２被係止部）
１０Ｂ    被係止部（第１被係止部）
【図１】
0006633443.tif 000002
【図２】
0006633443.tif 000003
【図３】
0006633443.tif 000004
【図４】
0006633443.tif 000005
【図５】
0006633443.tif 000006
【図６】
0006633443.tif 000007
【図７】
0006633443.tif 000008
【図８】
0006633443.tif 000009
【図９】
0006633443.tif 000010
【図１０】
0006633443.tif 000011
【図１１】
0006633443.tif 000012
【図１２】
0006633443.tif 000013